(57)【要約】【課題】  シャッターカーテンとそのガイドレールとの間で生じる音と、シャッターカーテンとサッシ網戸との間で生じる音と、スラット同士の連結部で生じる音とを効果的に抑制する。【解決手段】  シャッター４０と引戸１２との間にサッシ網戸２０を有し、該サッシ網戸はその縁部の縦フレーム部２０Ｆ１に連続した外側片体２０ＨＡと内側片体２０ＨＢとを有する片体部分２０Ｈを具備する窓用建具において、片体部分に着脱可能に装着する取付部３０Ｔと、該取付部に連結され、全体が硬質合成樹脂材で形成され、弾性変形可能な本体部３０Ｈとを有する撓み規制部材３０が前記サッシ網戸に装着され、該撓み規制部材の本体部は、シャッターカーテンの裏面に押圧状態となっているよう構成する。【選択図】        図１
2006169871.tif 000002
【特許請求の範囲】
【請求項１】
建物窓部における引戸の外側に上下方向に開閉動作するシャッターを設け、該シャッターと引戸との間にサッシ網戸を有し、該サッシ網戸はその縁部の縦フレーム部に連続して、左右方向に延設された外側片体と内側片体とを有する片体部分を具備する窓用建具において、
前記片体部分に着脱可能に装着する取付部と、該取付部に連結され、全体が硬質合成樹脂材で形成され、弾性変形可能な本体部とを有する撓み規制部材が前記サッシ網戸に装着され、
該撓み規制部材の本体部は、シャッターカーテンの裏面に押圧状態となっている
ことを特徴とする窓用建具におけるシャッターカーテンの撓み規制構造。
【請求項２】
前記取付部は、前記両片体間に挿入されて各片体を内部側から弾性的に押圧し、前記本体部は前記外側片体の外側面からは離隔すると共に、前記縦フレーム部に当接する形状である請求項１記載の窓用建具におけるシャッターカーテンの撓み規制構造。
【請求項３】
建物窓部における引戸の外側に上下方向に開閉動作するシャッターを設け、該シャッターと引戸との間にサッシ網戸を有し、該サッシ網戸はその縁部の縦フレーム部に連続して、左右方向に延設された外側片体と内側片体とを有する片体部分を具備する窓用建具において使用され、
前記片体部分に着脱可能に装着する取付部と、該取付部に連結され、全体が硬質合成樹脂材で形成され、弾性変形可能な本体部とを有する撓み規制部材であって、
該撓み規制部材がサッシ網戸の片体部分に装着された状態で表現すると、該サッシ網戸表面からシャッターカーテンの方向に突出し前記本体部の突出高さ寸法は、サッシ網戸とシャッターカーテンとの最大離隔距離よりも大きい
ことを特徴とする窓用建具におけるシャッターカーテンの撓み規制部材。
【発明の詳細な説明】
【技術分野】
【０００１】
本発明は、窓部に設けたサッシ網戸の外側に上下方向に開閉動作するシャッターを設けている場合に、強風時のシャッターカーテンが原因となる音を抑制する撓み規制構造とその撓み規制部材に関する。
【背景技術】
【０００２】
窓の外側に上下方向に開閉動作するシャッターを設けている場合、強風時に騒音が発生する。これには３つの原因がある。１つは、シャッターカーテンの取り付け構造上、シャッターカーテン左右縁部をガイドレールに受け入れさせているが、この部分に数ミリの隙間が存在しており、ここでのガタ付き音である。２つ目は、風圧によってシャッターカーテンが大きく撓み、サッシ網戸に当って生じる音である。下記特許文献１には、これら夫々に分けて緩衝材を設けることが開示されている。３つ目は、シャッターカーテンを構成する各シャッタースラット同士の連結部のガタ付きによる騒音である。
【特許文献１】特許第３４７０７９３号公報
【発明の開示】
【発明が解決しようとする課題】
【０００３】
然しながら、上記文献のように２箇所に夫々緩衝材を設けることは効率的ではない。
従って解決しようとする課題は、シャッターカーテンとそのガイドレールとの間で生じる音と、シャッターカーテンとサッシ網戸との間で生じる音と、更には、スラット同士の連結部で生じる音とを効果的に抑制することである。
【課題を解決するための手段】
【０００４】
請求項１に係る発明では、建物窓部における引戸の外側に上下方向に開閉動作するシャッターを設け、該シャッターと引戸との間にサッシ網戸を有し、該サッシ網戸はその縁部の縦フレーム部に連続して、左右方向に延設された外側片体と内側片体とを有する片体部分を具備する窓用建具において、前記片体部分に着脱可能に装着する取付部と、該取付部に連結され、全体が硬質合成樹脂材で形成され、弾性変形可能な本体部とを有する撓み規制部材が前記サッシ網戸に装着され、該撓み規制部材の本体部は、シャッターカーテンの裏面に押圧状態となっていることを特徴とする窓用建具におけるシャッターカーテンの撓み規制構造を提供する。ここで、本体部が弾性変形可能とは、サッシ網戸とシャッターカーテンとの間隔方向、即ち部屋の内側と外側を結ぶ方向に変形可能であることを意味する。
【０００５】
請求項２では、前記取付部は、前記両片体間に挿入されて各片体を内部側から弾性的に押圧し、前記本体部は前記外側片体の外側面からは離隔すると共に、前記縦フレーム部に当接する形状である請求項１記載の窓用建具におけるシャッターカーテンの撓み規制構造を提供する。
【０００６】
請求項３では、建物窓部における引戸の外側に上下方向に開閉動作するシャッターを設け、該シャッターと引戸との間にサッシ網戸を有し、該サッシ網戸はその縁部の縦フレーム部に連続して、左右方向に延設された外側片体と内側片体とを有する片体部分を具備する窓用建具において使用され、前記片体部分に着脱可能に装着する取付部と、該取付部に連結され、全体が硬質合成樹脂材で形成され、弾性変形可能な本体部とを有する撓み規制部材であって、該撓み規制部材がサッシ網戸の片体部分に装着された状態で表現すると、該サッシ網戸表面からシャッターカーテンの方向に突出し、前記本体部の突出高さ寸法は、サッシ網戸とシャッターカーテンとの最大離隔距離よりも大きいことを特徴とする窓用建具におけるシャッターカーテンの撓み規制部材を提供する。サッシ網戸とシャッターカーテンとの最大離隔距離とは、シャッターカーテンがガイドレールに受け入れられ、そこに隙間が存在するため、シャッターカーテンの位置が変動し得るが、最も外側位置にある場合の距離という意味である。
【発明の効果】
【０００７】
請求項１では、取付部と本体部とを有する撓み規制部材を、その取付部をサッシ網戸の片体部分に着脱可能に装着した状態で、本体部がシャッターカーテンの裏面に通常押圧状態になっている。このため、強風の際にもシャッターカーテンを外方向に押圧しており、ガイドレールとの間の隙間に応じたガタ付きを抑制できてガタ付き音を抑制できる。また、風圧によってシャッターカーテンがサッシ網戸の側に撓もうとする際にも本体部の弾性作用によって受け止めるように押圧しており、網戸に当った場合に発生する音と、スラット同士の連結部における音とを抑制でき、更には、シャッターカーテンの撓みを緩衝的に受け止めることができ、強風によるシャッターカーテンの変形を緩和できる。また、強風時の負圧作用によってシャッターカーテンがサッシ網戸から離れる側（外側）に撓んだ場合、本体部が弾性作用によって追随できてシャッターカーテンを押圧できる場合もあり、また、本体部がシャッターカーテン裏面から離れる場合もある。押圧している状態ではスラット同士の連結部における音を抑制できる。更には、本体部は弾性変形が可能なため、窓サッシの種類によってサッシ網戸の位置からシャッターカーテンまでの距離が変わっても対応可能であり、汎用性を有する。また、本願撓み規制部材の使用形態としては、通常時は取り外しておき、強風時に装着することが好ましい。
【０００８】
請求項２では、取付部を内外片体間に挿入して弾性的に押圧させることにより着脱可能に装着できる。また、本体部は外側片体側に位置するが、その外側片体外側面とは離隔しているため、サッシ網戸の種類によって、縦フレーム部から延設する外側片体の形状が、幾分外方向（シャッターカーテン側）に突出した形状のものであっても、これに阻害されることなく使用でき、汎用性が向上する。また、片体部分ではなく縦フレーム部に当接して風圧を受けるため、縦フレーム部に比べて弱い片体部分の変形等を防止できる。
【０００９】
請求項３は、上記撓み規制構造の主要部品を規定したものであり、使用すれば、上記請求項１と同様な作用効果を奏する。
【発明を実施するための最良の形態】
【００１０】
以下、本発明を図面を用いて詳細に説明する。図１は本発明に係る撓み規制部材３０を使用中の建物窓部の横断面を上方から見た一部省略の断面図である。窓枠サッシフレーム体１０の部屋側には、ガラス戸等の引戸１２が設けられており、その外側には、サッシ網戸２０が配設されている。更にその外側には、上下方向に開閉されるシャッターカーテン４０を有するシャッターが設けられている。このシャッターカーテンはその左右両縁部を、窓枠フレーム体に一体形成又は装着されたガイドレール４０Ｇによって案内される構造となっている。このガイドレールとシャッターカーテン間には数ミリの隙間が存在する。また、シャッターカーテンは、左右方向に細長いシャッタースラットが上下方向に複数枚連結されて構成されている。
【００１１】
サッシ網戸２０の左右縁部には、夫々、例えば断面形状が矩形状等の縦フレーム部２０Ｆ１，２０Ｆ２が形成されており、更には、この縦フレーム部の外側と内側（部屋側）に、夫々、左右方向に延設された概ね平板状の外側片体２０ＨＡと内側片体２０ＨＢとが設けられ、片体部分２０Ｈを構成している場合が多い。そこで、本発明に係る図１の形態例の撓み規制部材３０では、取付部３０Ｔを下記の本体部３０Ｈよりも柔軟な合成樹脂材で形成し、これを前記外側片体と内側片体との間の空間に押し込み、その内外片体への内部からの押圧力によって保持させる。
【００１２】
この取付部３０Ｔの左右方向の一側（網戸に装着した場合、縦フレーム部２０Ｆ１から遠い側）には、ＰＶＣ（塩化ビニル樹脂）等の１種類の硬質合成樹脂材からなる本体部３０Ｈが一体に連結されている。この本体部は、図１の横断面形状において、外側片体の方向（シャッターカーテン側の方向）に延伸し、該外側片体２０ＨＡの外側面から離隔する位置において網戸面に平行な方向に折れ曲って離隔部３０Ｒが形成され、再び、縦フレーム部の表面方向に折れ曲って該縦フレーム部の外側面に当接する当接部３０Ｓが形成されている。この当接部からシャッターカーテン４０の方向に延伸して、シャッターカーテン裏面を押圧できる寸法形状を有している。即ち、２点鎖線で示す形態が、力を受けていない状態、即ち自然状態の本体部３０Ｈの形状である。当接部３０Ｓの当接するサッシ網戸の表面部（ここでは縦フレーム部２０Ｆ１の外側面）から測った本体部の高さｈ１が、同じ表面部と、シャッターカーテンが最も外方に位置している場合の離隔距離ｈ２よりも大きい。従って、シャッターカーテンを外方に押圧しており、左右縁部をガイドレール４０Ｇの外方部に押し付け、ガタ付き音を抑制できる。
【００１３】
上記形態では離隔部３０Ｒは外側片体２０ＨＡに平行に構成しているが、本願ではこれに限らず、傾斜していたり、曲線状にカーブしていたりしてもよい。本発明の一つの態様では、要は外側片体から離隔するようになっている。このように、離隔部３０Ｒが外側片体２０ＨＡから離隔していると、風圧によってシャッターカーテン４０が押された場合に、撓み規制部材３０はその変形等を受け止め、サッシ網戸を押圧する力を受ける。しかし、この力は、サッシ網戸の最も強度の高い縦フレーム部にて受け、オーバーハングした形態の外側片体部分では受けない構造としている。
【００１４】
更には、サッシ網戸の種類によっては、この外側片体２０ＨＡが幾分外側方向、即ち、シャッターカーテン４０側に突出している場合も有るが、こうした場合においても、撓み規制部材３０の装着を可能にすることができ、汎用性が高くなる。また、特に取り外しの際の便利のために、本体部に摘み部３０Ａを設けているが、これを設けなくても本実施形態例の場合は、離隔部３０Ｒと当接部３０Ｓとの境界の段差部に指を掛けて手前側に引けば取り外しが容易にできる。
【００１５】
従って、強風時に、本願撓み規制部材３０をサッシ網戸２０の左右縁部の一方（窓の左右方向幅の中央部に位置する方）に装着すれば、シャッターカーテン左右縁部とガイドレール４０Ｇ間のガタによる音と、シャッターカーテンが撓んだ際にサッシ網戸２０等に当って発する音と、スラットの連結部における音とを抑制できる。また、撓み規制部材３０の本体部は弾性変形可能であるため、サッシ網戸２０とシャッターカーテン４０との間隔が幾分異なる窓部サッシに対しても適用でき、汎用性が高まる。また、サッシ網戸を通常の使用位置ではなく、窓幅方向の中央部に移動させ、本願撓み規制部材をその左右両縁部の内外片体間に夫々装着してもよい。この場合、例え、サッシ網戸の左右縁部の形状が幾分異なっていても、弾性変形する取付部３０Ｔや本体部の離隔部３０Ｒの作用によって、１種類の撓み規制部材を夫々に装着することができる。
【００１６】
図の紙面に対して垂直な方向の撓み規制部材３０の長さは、サッシ網戸の高さの半分以上であることが好ましいが、長さは本願の要件ではない。また、長さの短い撓み規制部材に形成して、これをサッシ網戸の上下方向に沿って複数個配設してもよい。
【００１７】
その他、図２は本発明に係る撓み規制部材３０の上記第１の形態例の変形例としての第２形態例を示す。第１の形態例と異なるのは、取っ手を設けていないことと、シャッターカーテン４０との当接部分の形状が異なり、この形状にした場合は第１の形態例よりもシャッターカーテンへの押圧力が大きくなり都合がよい。
【００１８】
次に、図３を参照しつつ、上記第１と第２の形態例とは大きく異なる第３の形態例を説明する。異なる事項を主に説明する。まず異なるのは、サッシ網戸の片体部分２０Ｈの何れかの片体を挟持して保持させることである。ここでは、撓み規制部材３０はその全体を硬質合成樹脂材である既述のＰＶＣ（塩化ビニル樹脂）によって形成している。片体部分の側方に位置し、サッシ網戸の広がり面に対して概ね垂直に指向する基部３０Ｍの途中には、外側片体の裏面側に挿入され、取付部の一部を構成し、板バネのように弾性変形可能な弾性片部３０Ｔ’が形成されている。一方、外側片体の外側面に沿って延伸し、取付部の他部を構成する延伸部３０Ｔ”が形成されている。この延伸部の先には連続して本体部３０Ｈが一体に形成されている。
【００１９】
撓み規制部材は、その弾性片部と延伸部とが外側片体２０ＨＡを挟持することによってサッシ網戸に対して安定して保持できる。また、基部３０Ｍの一端部には摘み部３０Ａを設けており、ここに指を掛けて引けば、撓み規制部材の装着保持を容易に外すことができる。
【００２０】
本体部３０Ｈはサッシ網戸の縦フレーム部２０Ｆ１の外側面に当接する当接部３０Ｓが形成されて、その先部からシャッターカーテン４０の方向に曲線状に延伸し、再び、サッシ網戸側に幾分戻った形状をしている。サッシ網戸に干渉していない状態、即ち、力を受けていない自然状態では、サッシ網戸からの高さ寸法、より正確には、サッシ網戸の縦フレーム部の外側面からの高さ寸法ｈ１は、シャッターカーテン４０が、図１に示すガイドレール４０Ｇの隙間の中で、サッシ網戸から最も遠い側に位置した場合のシャッターカーテン裏面とサッシ網戸との離隔距離ｈ２よりも大きい。従って、この撓み規制部材３０をサッシ網戸に装着すれば、強風によってシャッターカーテンが外側方向に大きく撓むような大きな負圧を受けた場合を除き、その本体部がシャッターカーテンを常時押圧している。その作用効果は、既述の各実施形態例の場合と同様である。なお、本体部のコーナー部の切欠き部３０Ｋは、本体部の弾性変形を容易にさせるためのものである。本体部の材質や肉厚設計の如何によっては、この切欠部は不要となる。
【産業上の利用可能性】
【００２１】
本発明は、サッシ網戸とシャッターカーテンとを有する窓用建具の撓み規制構造並びに撓み規制部材として利用できる。
【図面の簡単な説明】
【００２２】
【図１】図１は本発明に係る撓み規制部材を使用中の建物窓部の横断面を上方から見た一部省略の断面図である。
【図２】図２は図１の撓み規制部材に代る第２の形態例を示す要部断面図である。
【図３】図３は本発明に係る第３の形態例を、図１や図２と同様に上方から見た要部断面図である。
【符号の説明】
【００２３】
１２                      引戸
２０                      サッシ網戸
２０Ｆ１，２０Ｆ２        縦フレーム部
２０Ｈ                    片体部分
２０ＨＡ                  外側片体
２０ＨＢ                  内側片体
３０                      撓み規制部材
３０Ｈ                    本体部
３０Ｔ                    取付部
４０                      シャッターカーテン
４０Ｇ                    ガイドレール
【図１】
2006169871.tif 000003
【図２】
2006169871.tif 000004
【図３】
2006169871.tif 000005